(57)【要約】      （修正有）【課題】衣服の種別を直感的に認識することができ、異なる保管場所でも対応関係が一目瞭然で意識を喚起することができ、高齢者等でも取り扱い易く自立生活を支援することができる衣服整理支援具を提供する。【解決手段】着脱自在に止着可能な複数の表示ピース１１・１１…からなる表示具と；衣服Ｃが掛けられる衣服用ハンガーＨと共に横架部材Ａに吊り下げ可能な掲示体２と；衣服Ｃが収納可能な収納手段とを具備して構成されており、表示具の表示ピース１１の表面には、衣服Ｃの種別または使用時期に対応した図形を表示して、かつ、同一表示の表示ピース１１を複数個含むグループを形成して、前記掲示体２および収納手段の一部に、前記表示具のグループ内の各表示ピース１１を止着可能に構成する。【選択図】図３
2020065659.tif 000002
【特許請求の範囲】
【請求項１】
着脱自在に止着可能な複数の表示ピースからなる表示具と；
衣服が掛けられる衣服用ハンガーと共に横架部材に吊り下げ可能な掲示体と；
衣服が収納可能な収納手段とを具備して構成されており、
前記表示具の表示ピースの表面には、衣服の種別または使用時期に対応した図形が表示されており、かつ、同一表示の表示ピースを複数個含むグループが形成されており、
前記掲示体および収納手段の一部に、前記表示具のグループ内の各表示ピースが止着可能に構成されていることを特徴とする衣服整理支援具。
【請求項２】
掲示体が衣服用ハンガー同士の間に吊り下げられたとき、衣服用ハンガーの上部において、掲示体の掲示領域に止着された表示ピースが視認可能であることを特徴とする請求項１記載の衣服整理支援具。
【請求項３】
収納手段に板体を備えており、この板体に表示ピースが止着可能であることを特徴とする請求項１または２記載の衣服整理支援具。
【請求項４】
掲示体の側縁部が横架部材側方の壁に当接して、当該掲示体の吊支部および側縁部の二点で安定支持可能であることを特徴とする請求項１〜３の何れか一つに記載の衣服整理支援具。
【発明の詳細な説明】
【技術分野】
【０００１】
本発明は、衣服整理用具の改良、更に詳しくは、衣服の種別を直感的に認識することができ、異なる保管場所でも対応関係が一目瞭然で意識を喚起することができ、高齢者等でも取り扱い易く自立生活を支援することができる衣服整理支援具に関するものである。
【背景技術】
【０００２】
周知のとおり、近年、我が国において高齢化社会が本格化しつつあるが、介護等に提供されるマンパワー資源にも限界があることから、高齢者（あるいは身体障害者）の自立を支援する必要性が高まっている。
【０００３】
ところで、日常生活を送る基本として衣服が必要であるが、一個人が所有する衣服の種類や点数は相当数あるために整理が大変である。そして、衣服を整理するにあっては、夏物や冬物といった季節単位の大きな分類の仕分けのほか、半袖、長袖、上着、ズボン、下着などの日常的な使用レベルでの分類の仕分けも必要である。
【０００４】
また、衣服の保管方法は、ハンガーに掛けてパイプやロープなどの横架部材に吊り下げておくか、箪笥の引き出しや衣装ケースなどの中に収納しておくことが多いが、こうした衣服の整理は面倒で億劫な作業であるために、つい適当な位置に無意識に収納してしまいがちであり、いざ使用する場面になっても、自分がどこに収納しておいたか忘れてしまい、毎度のように全ての衣服の中から探し出さなければならないということも少なくない。また、何も考えずに無意識に適当な位置に収納しているだけでは、思考が全く働いていない。
【０００５】
従来、衣服の分類を識別するための器具として、横架部材に吊下したハンガーの間に識別標識を配設するものが開示されている（例えば、特許文献１−３参照）。
【０００６】
しかしながら、これらの器具では、衣服の位置の目印にはなるが、使用者の思考を刺激することはできないために、高齢者等の自立支援に結び付くような機能を有しているとまではいえない。また、高齢者等の場合は、文字の識別力や読解力が低下していることが多いため、文字情報による識別手段よりも、より直感的に認識できるものが望まれている。
【先行技術文献】
【特許文献】
【０００７】
【特許文献１】実開平６−５２６６０号公報
【特許文献２】特開２０００−２５９０８２号公報
【特許文献３】特開２０１０−１０７８３６号公報
【発明の概要】
【発明が解決しようとする課題】
【０００８】
本発明は、従来の衣服整理器具に上記のような問題があったことに鑑みて為されたものであり、その目的とするところは、衣服の種別を直感的に認識することができ、異なる保管場所でも対応関係が一目瞭然で意識を喚起することができ、高齢者等でも取り扱い易く自立生活を支援することができる衣服整理支援具を提供することにある。
【課題を解決するための手段】
【０００９】
本発明者が上記技術的課題を解決するために採用した手段を、添付図面を参照して説明すれば、次のとおりである。
【００１０】
即ち、本発明は、着脱自在に止着可能な複数の表示ピース11・11…からなる表示具１と；衣服Ｃが掛けられる衣服用ハンガーＨと共に横架部材Ａに吊り下げ可能な掲示体２と；衣服Ｃが収納可能な収納手段３とを具備して構成されており、
前記表示具１の表示ピース11の表面には、衣服Ｃの種別または使用時期に対応した図形を表示して、かつ、同一表示の表示ピース11を複数個含むグループ11Ｇを形成して、
前記掲示体２および収納手段３の一部に、前記表示具１のグループ11Ｇ内の各表示ピース11を止着可能に構成するという技術的手段を採用したことによって、衣服整理支援具を完成させた。
【００１１】
また、本発明は、上記課題を解決するために、必要に応じて上記手段に加え、掲示体２が衣服用ハンガーＨ同士の間に吊り下げられたとき、衣服用ハンガーＨの上部において、掲示体２の掲示領域に止着された表示ピース11を視認可能にするという技術的手段を採用することができる。
【００１２】
更にまた、本発明は、上記課題を解決するために、必要に応じて上記手段に加え、収納手段３に板体31を備えており、この板体31に表示ピース11を止着可能にするという技術的手段を採用することができる。
【００１３】
更にまた、本発明は、上記課題を解決するために、必要に応じて上記手段に加え、掲示体２の側縁部21を横架部材Ａ側方の壁に当接させて、当該掲示体２の吊支部および側縁部21の二点で安定支持可能にするという技術的手段を採用することができる。
【発明の効果】
【００１４】
本発明は、着脱自在に止着可能な複数の表示ピースからなる表示具と；衣服が掛けられる衣服用ハンガーと共に横架部材に吊り下げ可能な掲示体と；衣服が収納可能な収納手段とを具備して構成されており、前記表示具の表示ピースの表面には、衣服の種別または使用時期に対応した図形を表示して、かつ、同一表示の表示ピースを複数個含むグループを形成して、前記掲示体および収納手段の一部に、前記表示具のグループ内の各表示ピースを止着可能に構成したことによって、衣服の種別を直感的に認識することができ、異なる保管場所でも対応関係が一目瞭然で意識を喚起することができ、高齢者等でも取り扱い易く自立生活を支援することができる。
【００１５】
したがって、本発明の衣服整理支援具によれば、高齢者等であっても、他人の補助を必要とせずに自分自身で衣服の収納や衣替えなどを行うことができて、自立を支援することができる。
【００１６】
また、衣服というプライベートなアイテムの取り扱いを他人に依存しないことにより、プライバシーを保護できるとともに、自分自身で整理作業を完結することができるため、達成感を得ることができる。しかも、意識の喚起や、作業に係る動作により思考を活性化して健康増進につながる効果も期待することもできることから、産業上の利用価値は頗る大きいといえる。
【図面の簡単な説明】
【００１７】
【図１】本発明の実施形態の表示具を表わす全体正面図である。
【図２】本発明の実施形態の掲示体を表わす全体斜視図である。
【図３】本発明の実施形態の衣服整理支援具の使用状態を表わす斜視図である。
【図４】本発明の実施形態の衣服整理支援具の使用状態を表わす斜視図である。
【図５】本発明の実施形態の衣服整理支援具の使用状態を表わす斜視図である。
【図６】本発明の実施形態の衣服整理支援具の使用状態を表わす斜視図である。
【図７】本発明の実施形態の衣服整理支援具の使用状態を表わす斜視図である。
【図８】本発明の実施形態の表示具の変形例を表わす全体正面図である。
【発明を実施するための形態】
【００１８】
本発明の実施形態を図１から図８に基づいて説明する。図中、符号１で指示するものは表示具であり、また、符号２で指示するものは掲示体であり、符号３で指示するものは収納手段である。
【００１９】
本発明の衣服整理支援具の構成について以下に説明する。まず、表示具１は、着脱自在に止着可能な複数の表示ピース11・11…からなる（図１参照）。この表示ピース11の止着手段としては、裏面に粘着剤をコーティングしたシール式のものや、面ファスナ、フックなどを採用することができ、反復使用に対する耐久性を有するものが好ましい。
【００２０】
そして、前記表示具１の表示ピース11の表面には、衣服Ｃの種別または使用時期に対応した図形を表示する。衣服Ｃの種別としては、半袖、長袖、上着、ズボン、下着、部屋着、靴下などがある。使用時期を示すものは主として季節であり、夏、冬、春、秋（気温が近い春・秋を一つとしても良い）、に分類される。また、同一表示の表示ピース11を複数個含むグループ11Ｇを形成する。
【００２１】
本実施形態では、半袖、長袖、上着、夏、冬などの、使用頻度が高く、重要度の高いものについてグループ11Ｇを形成する。表示ピース11の数量は２以上であれば何個でも良い。また、図形は一目で内容が直感的に認識できるようなシンプルなものが好ましく、色は黄色やピンク、蛍光色などの目立つものが視覚の刺激となって好ましい。
【００２２】
掲示体２は、衣服Ｃが掛けられる衣服用ハンガーＨと共に横架部材Ａに吊り下げ可能である（図２参照）。横架部材Ａとは略水平方向に架け渡されたパイプやロープなどであり、クローゼットや箪笥、ワードローブ、パイプハンガーなどに配設されている。
【００２３】
本実施形態では、掲示体２は板状体によって構成するとともに、色も黄色やピンク、蛍光色などの目立つものが視覚の刺激となって好ましい。そして、掲示体２の吊支部は、フック状のものや孔を開けたもの、紐やリングなどを採用することができる。
【００２４】
収納手段３は、衣服Ｃが収納可能なものであって、ボックス状の衣装ケースや、箪笥の引き出し、袋体のほか、折り畳んで積み重ねた形態も含む。
【００２５】
そして、本実施形態の衣服整理支援具を使用するにあっては、前記掲示体２および収納手段３の一部に、前記表示具１のグループ11Ｇ内の各表示ピース11を止着することができる。こうすることにより、掲示体２に止着したものと収納手段３に止着したものとを視覚的かつ簡単に対応させることができ、間違いを防止し整理を容易にすることができる（図３および４参照）。したがって、高齢者等であっても、他人の補助を必要とせずに自分自身で衣服の収納や衣替えなどを行うことができる。
【００２６】
本実施形態では、掲示体２が衣服用ハンガーＨ同士の間に吊り下げられたとき、衣服用ハンガーＨの上部において、掲示体２の掲示領域に止着された表示ピース11を視認可能にすることができる。通常、衣服用ハンガーＨの形状は、衣服の形状、即ち、人間の肩の形に合わせて斜め下に向かって下がっているため、この肩部の上方にスペースができるので、そのスペースを掲示領域として有効に活用するものである。
【００２７】
また、本実施形態では、収納手段３に板体31を備えており、この板体31に表示ピース11を止着可能にすることもできる。例えば、箪笥の中に折り畳んで収納した衣服Ｃの間にこの板体31を挟んだり（図５参照）、折り畳んで積み重ねた衣服Ｃの間にこの板体31を挟むこともでき（図６参照）、収納手段３の本体に止着できない場合に使用したり、大分類と小分類とに分けることができて便利である。
【００２８】
更にまた、本実施形態では、横架部材Ａがクローゼットや箪笥の中に配設されており、横架部材Ａ側方に壁が存在している場合において、掲示体２の側縁部21を横架部材Ａ側方の壁に当接させて、当該掲示体２の吊支部および側縁部21の二点で安定的に支持させることもできる（図７参照）。
【００２９】
本発明は、概ね上記のように構成されるが、図示の実施形態に限定されるものでは決してなく、「特許請求の範囲」の記載内において種々の変更が可能であって、例えば、掲示体２の形状は板状体に限らず、フレーム状のものであっても良い。
【００３０】
また、表示具１は、グループ11Ｇを構成しているもののほか、単独で分類を表示するものや、数字、任意の事項を書き込むことができるインデックスであっても良く（図８参照）、これら何れのものも本発明の技術的範囲に属する。
【符号の説明】
【００３１】
１    表示具
11    表示ピース
11Ｇ  グループ
２    掲示体
21    側縁部
３    収納手段
31    板体
Ｃ    衣服
Ｈ    衣服用ハンガー
Ａ    横架部材
【図１】
2020065659.tif 000003
【図２】
2020065659.tif 000004
【図３】
2020065659.tif 000005
【図４】
2020065659.tif 000006
【図５】
2020065659.tif 000007
【図６】
2020065659.tif 000008
【図７】
2020065659.tif 000009
【図８】
2020065659.tif 000010